(57)【要約】【課題】取り付け時の作業性に優れた改装サッシユニット等を提供する。【解決手段】室内外を連通する開口に設けられている既設サッシの既設枠に設けられる改装サッシユニットであって、前記改装サッシが載置される載置部と、前記既設サッシの既設下枠に固定される既設下枠固定部と、前記改装サッシの改装下枠が固定される改装下枠固定部と、を有し、前記載置部が、室内側にて前記既設下枠に支持され、前記既設下枠固定部が、室外側にて、前記既設下枠に室外側から固定され、前記改装下枠固定部に、前記改装下枠が室外側から固定される支持部材を介して前記既設枠に取り付けられる。【選択図】図１
2011012406.tif 000002
【特許請求の範囲】
【請求項１】
室内外を連通する開口に設けられている既設サッシの既設枠に設けられる改装サッシユニットであって、
前記既設枠に設けられる改装サッシと、前記既設枠と前記改装サッシとの間に介在される支持部材と、を有し、
前記支持部材は、
前記改装サッシが載置される載置部と、
前記既設サッシの既設下枠に固定される既設下枠固定部と、
前記改装サッシの改装下枠が固定される改装下枠固定部と、を有し、
前記載置部が、室内側にて前記既設下枠に支持され、
前記既設下枠固定部が、室外側にて、前記既設下枠に室外側から固定され、
前記改装下枠固定部に、前記改装下枠が室外側から固定されることを特徴とする改装サッシユニット。
【請求項２】
請求項１に記載の改装サッシユニットであって、
前記支持部材は、最上部が平坦な前記載置部をなし、
前記既設下枠固定部は、前記改装下枠固定部より下方に配置されていることを特徴とする改装サッシユニット。
【請求項３】
請求項１または請求項２に記載の改装サッシユニットであって、
前記改装下枠は、前記室外側に開放されて前記室内側に窪む凹部を有し、
前記凹部にて前記改装下枠固定部に固定具にて固定され、
前記凹部を覆うカバー部材を有することを特徴とする改装サッシユニット。
【請求項４】
請求項３に記載の改装サッシユニットであって、
前記既設下枠固定部は、前記改装下枠固定部より室内側に配置されており、
前記カバー部材は、下方に延出されて前記既設下枠固定部を覆うことを特徴とする改装サッシユニット。
【請求項５】
請求項１乃至請求項４のいずれかに記載の改装サッシユニットであって、
前記既設下枠固定部には上下方向に長い長孔が形成されており、
前記既設下枠固定部は前記長孔を貫通するビスにて前記既設下枠に固定されていることを特徴とする改装サッシユニット。
【請求項６】
請求項２に記載の改装サッシユニットであって、
前記カバー部材は、前記改装下枠より下方に繋がった壁部を有し、
前記壁部は、前記既設下枠より下方に位置し前記室内外の境界となる壁面と対向する壁面対向部を有し、
前記壁面対向部と前記壁面との間に防水目地が設けられていることを特徴とする改装サッシユニット。
【請求項７】
室内外を連通する開口に設けられている既設サッシの既設枠に設けられる改装サッシの改装枠が載置される載置部と、前記既設サッシの既設下枠に固定される既設下枠固定部と、前記改装サッシの改装下枠が固定される改装下枠固定部と、を有する支持部材を、当該支持部材の前記載置部を室内側にて前記既設下枠に支持させ、前記既設下枠固定部を、室外側にて、前記既設下枠に室外側から固定する支持部材固定工程と、
前記改装サッシの前記改装枠を前記載置部に載置する改装枠載置工程と、
前記改装下枠を室外側から前記改装下枠固定部に固定する改装枠固定工程と、
を有することを特徴とする改装サッシユニットの取付方法。
【発明の詳細な説明】
【技術分野】
【０００１】
本発明は、既設サッシの既設枠に設けられる改装サッシユニット及び改装サッシユニットの取付方法に関する。
【背景技術】
【０００２】
改装サッシユニットとしては、建物の開口部に設けられた既設サッシの既設枠の内周側にベース材を介して取り付けられるリフォームサッシが知られている（例えば、特許文献１参照）。  
このようなリフォームサッシは、既設枠が有する上枠、下枠、左右の縦枠にベース材を取り付けることにより新設するリフォームサッシが固定される取付壁を形成し、リフォームサッシの枠組みされた枠体を取付壁にビスにて固定している。
【先行技術文献】
【特許文献】
【０００３】
【特許文献１】特開２００８−２２３２８６号公報
【発明の概要】
【発明が解決しようとする課題】
【０００４】
上記のようなリフォームサッシは、例えば既設下枠にベース材を取り付ける際には、ベース材を既設下枠上に配置し、室内側において改装枠の内側から既設下枠側に向かって進入するビスにてベース材と既設枠とを躯体に固定し、室外側から室内側に向かって進入するビスにて改装枠をベース材に固定している。すなわち、既設枠とベース材とを固定するビスとベース材と改装枠とを固定するビスとの進入方向が異なる。このため作業性が悪いという課題があった。
【０００５】
本発明は、かかる課題に鑑みてなされたものであり、その目的とするところは、取り付け時の作業性に優れた改装サッシユニット及び改装サッシユニットの取付方法を提供することにある。
【課題を解決するための手段】
【０００６】
かかる目的を達成するために本発明の改装サッシユニットは、室内外を連通する開口に設けられている既設サッシの既設枠に設けられる改装サッシユニットであって、前記既設枠に設けられる改装サッシと、前記既設枠と前記改装サッシとの間に介在される支持部材と、を有し、前記支持部材は、前記改装サッシが載置される載置部と、前記既設サッシの既設下枠に固定される既設下枠固定部と、前記改装サッシの改装下枠が固定される改装下枠固定部と、を有し、前記載置部が、室内側にて前記既設下枠に支持され、前記既設下枠固定部が、室外側にて、前記既設下枠に室外側から固定され、前記改装下枠固定部に、前記改装下枠が室外側から固定されることを特徴とする改装サッシユニットである。  
このような改装サッシユニットによれば、改装サッシの改装枠が載置される載置部が室内側にて既設下枠に支持され、既設下枠に固定される既設下枠固定部が室外側にて、既設下枠に固定されるので、載置部の安定した状態を維持させて支持部材を既設枠に固定することが可能である。また、安定した状態に固定された支持部材の改装下枠固定部に改装枠が固定されるので、安定した載置部に改装枠を載置させて改装枠を支持部材に固定することが可能である。
【０００７】
また、支持部材は室内側を既設枠に載置して室外側から既設下枠固定部を既設枠に固定するだけなので、室外側からだけの作業にて支持部材を容易に固定することが可能である。そして、改装枠は固定された支持部材の改装下枠固定部に室外側から固定するだけで取り付けることが可能である。このように、支持部材及び改装枠を単一の方向からの作業により容易に取り付けることが可能である。すなわち、取り付け時の作業性に優れた改装サッシユニットを提供することが可能である。
【０００８】
かかる改装サッシユニットであって、前記支持部材は、最上部が平坦な前記載置部をなし、前記既設下枠固定部は、前記改装下枠固定部より下方に配置されていることが望ましい。  
このような改装サッシユニットによれば、支持部材は、最上部が平坦な載置部なので、支持部材上に改装枠を載置する際には、載置部より上方に障害物が存在しない。このため、改装枠を容易に載置することが可能である。また、既設下枠固定部及び改装下枠固定部は載置部より下方に位置しており、既設下枠固定部は改装下枠固定部より下方に位置しているので、載置部に改装枠が載置された際に上方に位置する改装枠が、既設下枠固定部より上方にて、載置部に改装枠が載置された際に下方に位置する既設枠が、改装下枠固定部より下方にて固定される。このため、既設下枠固定部及び改装下枠固定部をいずれも小さく且つ簡単な形状とすることが可能であり、支持部材を小さく簡単な形状にて形成することが可能である。
【０００９】
かかる改装サッシユニットであって、前記改装下枠は、前記室外側に開放されて前記室内側に窪む凹部を有し、前記凹部にて前記改装下枠固定部に固定具にて固定され、前記凹部を覆うカバー部材を有することが望ましい。  
このような改装サッシユニットによれば、改装枠は室外側に開放された凹部にて固定具により改装下枠固定部に固定され、凹部はカバー部材にて覆われるので、改装枠を固定するための固定具をカバー部材にて覆い隠すことが可能である。このため、意匠性に優れた改装サッシユニットを提供することが可能である。
【００１０】
かかる改装サッシユニットであって、前記既設下枠固定部は、前記改装下枠固定部より室内側に配置されており、前記カバー部材は、下方に延出されて前記既設下枠固定部を覆うことが望ましい。  
このような改装サッシユニットによれば、既設下枠固定部は、改装下枠固定部より室内側に配置されているので、カバー部材を下方に延出するだけで既設下枠固定部を覆うことが可能である。このため、カバー部材を例えば平坦に形成するなど単純な形状にて形成することが可能なので、コストを抑えつつ意匠性により優れた改装サッシを提供することが可能である。
【００１１】
かかる改装サッシユニットであって、前記既設下枠固定部には上下方向に長い長孔が形成されており、前記既設下枠固定部は前記長孔を貫通するビスにて前記既設下枠に固定されていることが望ましい。  
このような改装サッシユニットによれば、支持部材は、載置部の室内側が既設枠に支持され、室外側が既設下枠固定部の上下方向に長い長孔にビスが貫通されて既設下枠に固定されているので、長孔により支持部材の固定位置を調整するだけで載置部の上面が水平になるように調整することが可能である。
【００１２】
かかる改装サッシユニットであって、前記カバー部材は、前記改装下枠より下方に繋がった壁部を有し、前記壁部は、前記既設下枠より下方に位置し前記室内外の境界となる壁面と対向する壁面対向部を有し、前記壁面対向部と前記壁面との間に防水目地が設けられていることが望ましい。  
このような改装サッシユニットによれば、カバー部材の、改装下枠より下方に繋がった壁部の壁面対向部と室内外の境界となる壁面との間に防水目地が設けられているので、改装サッシと壁面との間の高い止水性を確保することが可能である。また、防水目地は改装下枠より下方に繋がった壁部の壁面対向部と室内外の境界となる壁面との間に設けられているので、室外側から見た際には視界に入りにくい。このため、美観に優れた改装サッシユニットを提供することが可能である。
【００１３】
また、室内外を連通する開口に設けられている既設サッシの既設枠に設けられる改装サッシの改装枠が載置される載置部と、前記既設サッシの既設下枠に固定される既設下枠固定部と、前記改装サッシの改装下枠が固定される改装下枠固定部と、を有する支持部材を、当該支持部材の前記載置部を室内側にて前記既設下枠に支持させ、前記既設下枠固定部を、室外側にて、前記既設下枠に室外側から固定する支持部材固定工程と、前記改装サッシの前記改装枠を前記載置部に載置する改装枠載置工程と、前記改装下枠を室外側から前記改装下枠固定部に固定する改装枠固定工程と、を有することを特徴とする改装サッシユニットの取付方法である。
【００１４】
このような改装サッシユニットの取付方法によれば、支持部材固定工程にて、改装サッシの改装枠が載置される載置部を室内側にて既設下枠に支持させ、既設下枠固定部を室外側にて既設下枠に固定するので、載置部が安定する状態にて支持部材を既設枠に固定することが可能である。このとき、支持部材は室内側を既設枠に支持させて室外側から既設下枠固定部を既設枠に固定するだけなので、室外側からだけの作業にて支持部材を容易に固定することが可能である。そして、安定した状態に固定された支持部材の載置部に、改装枠載置工程にて改装枠を載置させるので、改装枠の安定した状態を維持させることが可能である。そして、載置部に載置された改装枠は改装下枠固定部に室外側からの作業にて改装下枠固定部に固定することが可能である。このため、改装枠は室外側からの作業だけで容易に取り付けることが可能である。
【発明の効果】
【００１５】
本発明によれば、取り付け時の作業性に優れた改装サッシユニット及び改装サッシユニットの取付方法を提供することが可能である。
【図面の簡単な説明】
【００１６】
【図１】本実施形態に係る改装サッシユニットを説明するための縦断面図である。
【図２】支持部材を示す斜視図である。
【図３】支持部材の変形例を示す縦断面図である。
【発明を実施するための形態】
【００１７】
以下、本発明の一実施形態に係る改装サッシユニット及び改装サッシユニットの取付方法について図面を参照して説明する。
【００１８】
本実施形態の改装サッシユニット１は、例えば、建物の室内外を連通する開口に設けられている既設サッシの既設枠５０に固定される支持部材３０と、支持部材３０を介して既設枠に取り付けられる改装サッシ１０と、屋外側カバー部材２７と、屋内側カバー部材２８とを有している。本実施形態では、図１に示すように、屋内外を連通する開口に既設枠５０が設けられている。
【００１９】
以下の説明においては、建物等に取り付けられた状態の既設枠５０及び改装サッシ１０を屋内側から見たときに、上下となる方向を上下方向、左右となる方向を左右方向または見付け方向、屋内外方向である奥行き方向を見込み方向として示す。
【００２０】
また、本実施形態においては、建物に既に設けられている既存の既設枠５０と、既設枠５０を覆うように改装される改装サッシ１０とが登場するが、同じ名称を有する部位、部材には、各名称の前に「既設」または「改装」を付して説明する。例えば、既設枠が有する下枠や縦枠等は、既設下枠、既設縦枠等とし、改装サッシ１０が有する縦枠や障子等は、改装枠体、改装障子等として説明する。
【００２１】
既設サッシの既設枠５０は、引き違い障子用の枠体であり、既設サッシの既設障子が案内される２本の既設レール５１ａ、５１ｂ、５２ａ、５２ｂを有する既設上枠５１及び既設下枠５２と、左右の既設縦枠（不図示）が矩形状に枠組みされて開口に設けられている。尚、既設上枠５１、既設下枠５２、及び、左右の既設縦枠はアルミニウム製の押出成形部材であり、左右の既設縦枠は互いに左右対称の形状をなしている。
【００２２】
既設下枠５２は、既設内障子（不図示）を案内するための既設内レール５２ａと、既設外障子（不図示）を案内するための既設外レール５２ｂと、既設網戸（不図示）を案内するための既設網戸レール５２ｃとが、見込み方向に互いに間隔を隔てて設けられている。既設内レール５２ａと、既設外レール５２ｂと、既設網戸レール５２ｃとは、既設下枠５２の見付け方向の全域に渡って設けられ、鉛直方向に上方に突出する突出部である。また、既設網戸レール５２ｃは、既設下枠５２の最も屋外側に設けられ、屋内外の境界となる建物の外壁２の壁面より屋外側に突出させた位置に配置されている。
【００２３】
既設内レール５２ａより屋内側には、既設下枠５２の屋内側に設けられる額縁６０において、開口の中央側に臨む面６０ａと対向して重ねられる既設額縁対向部５２ｄが設けられており、既設内レール５２ａと既設外レール５２ｂとの間を繋ぐ部位からは下方に延びて躯体３に固定される固定ヒレ部５２ｅが設けられている。
【００２４】
そして、既設額縁対向部５２ｄは、額縁の屋外側の部位の上面に形成され下方に窪む段部に配置され、既設額縁対向部５２ｄの上面と額縁の上面とがほぼ面一になるように構成されている。また、既設内レール５２ａは、その上端が既設額縁対向部５２ｄの上面より低く、既設外レール５２ｂは、その上端が既設内レール５２ａの上端より低く、既設網戸レール５２ｃは、その上端が既設外レール５２ｂより低く形成されている。
【００２５】
既設下枠５２は、既設額縁対向部５２ｄが額縁６０を貫通するビス６４にて躯体３に固定され、固定ヒレ部５２ｅが躯体３にビス６４にて固定されている。
【００２６】
改装サッシ１０は、建物等の開口に直接新設可能な一般的なサッシである。すなわち、改装専用のサッシではない。改装サッシ１０の改装枠２０も引き違い障子用の枠体であり、改装サッシ１０の改装障子１２が案内される２本の改装レール２１ａ、２１ｂ、２２ａ、２２ｂを有する改装上枠２１及び改装下枠２２と、左右の改装縦枠（不図示）が矩形状に枠組みされている。枠組みされた改装枠２０は、既設枠５０に囲まれた空間内に挿入される。尚、改装上枠２１、改装下枠２２、及び、左右の改装縦枠はアルミニウム製の押出成形部材であり、左右の改装縦枠は互いに左右対称の形状をなしている。
【００２７】
改装下枠２２は、改装内障子１２ａを案内するための改装内レール２２ａと、改装外障子１２ｂを案内するための改装外レール２２ｂと、改装網戸１４を案内するための改装網戸レール２２ｃとが、見込み方向に互いに間隔を隔てて設けられている。改装内レール２２ａより屋内側には、新設される際に改装下枠２２の屋内側に設けられる額縁（不図示)において、開口の中央側に臨む面と対向して重ねられる改装額縁対向部２２ｄが設けられている。改装額縁対向部２２ｄの屋外側の縁部から下方に延出された内側壁部２２ｆが形成されており、内側壁部２２ｆの下端と改装外レール２２ｂから下方に延出された部位の下端とが繋げられて平坦な底部２２ｇが形成されている。
【００２８】
改装網戸レール２２ｃは、改装外レール２２ｂの上端と底部２２ｇの上下方向におけるほぼ中央から屋外側に突出した部位に形成されており、改装枠２０が取り付けられた状態では、改装網戸レール２２ｃは既設網戸レール５２ｃより屋外側に位置している。
【００２９】
また、改装外レール２２ｂから下方に延出された部位の底部２２ｇの近傍からは、屋外側に突出され屋外側に向かって僅かに下方に傾斜した傾斜部２２ｈと、傾斜部２２ｈから下方に垂設され外側壁部２２ｉと、外側壁部２２ｉの下端近傍から屋外側に突出し傾斜部２２ｈと上下方向に対向する対向部２２ｊとが形成されており、傾斜部２２ｈ、外側壁部２２ｉ、対向部２２ｊとにて屋外側に向かって開放され屋内側に窪む凹部２２ｋが形成されている。
【００３０】
凹部２２ｋを形成する外側壁部２２ｉは、改装枠２０が取り付けられた状態では、既設網戸レール５２ｃより屋外側に位置しており、後述する支持部材３０にビス６４にて固定される部位である。また、凹部２２ｋの屋外側の縁となる、傾斜部２２ｈと対向部２２ｊとの屋外側の縁には互に対向する方向に突出された突片２２ｌが設けられている。
【００３１】
凹部２２ｋには、突片２２ｌに係止され凹部２２ｋ、既設網戸レール５２ｃを屋外側から覆い、屋内外の境界となる建物の外壁２の壁面と対向する壁面対向部２７ｂを有する屋外側カバー部材２７が屋外側から嵌め込まれている。
【００３２】
改装下枠２２は、既設下枠５２に固定された支持部材３０を介して既設下枠５２に固定されるとともに、既設下枠５２の既設額縁対向部５２ｄを貫通して躯体３に固定された連結部材３６にて屋内側が固定されている。支持部材３０及び連結部材３６は、見付け方向において、既設下枠５２の左右に間隔を隔てて複数設けられている。
【００３３】
支持部材３０は、図２に示すように、改装サッシ１０が載置される載置部３１と、既設サッシの既設下枠５２に固定される既設下枠固定部３２と、改装サッシ１０の改装下枠２２が固定される改装下枠固定部３３と、を有している。
【００３４】
載置部３１は、平坦な板状の部位であり、既設下枠５２上に配置される際に屋外側に位置する端部側が見付け方向において２つの部位に分かれている。載置部３１の２つに分かれた部位のうちの一方側は、他方側より屋外側に延出されており、その先端部から下方に延出された改装下枠固定部３３が設けられている。
【００３５】
改装下枠固定部３３には、改装下枠２２を固定するための固定具としてのビス６４が螺合されるビス孔３３ａが形成されている。載置部３１の２つに分かれた部位のうちの他方側は、一方側より水平方向の延出量は小さいが、その先端から下方に延出された既設下枠固定部３２は改装下枠固定部３３より長く延出されている。既設下枠固定部３２の下端側には、既設下枠５２の既設外レール５２ｂに螺合されるビス６４が貫通され、上下方向に長い長孔３２ａが形成されている。
【００３６】
連結部材３６は、既設額縁対向部５２ｄと対向して固定される既設固定部位３６ａと内側壁部２２ｆと対向して固定される改装固定部位３６ｂとが繋がってＬ字状をなしている。
【００３７】
上記改装サッシユニット１の取付方法は、まず、改装上枠２１、改装下枠２２、及び、左右の改装縦枠を矩形状に枠組みして改装枠２０を形成する。
【００３８】
次に、既設下枠５２上に支持部材３０を配置する。このとき、載置部３１の屋内側の部位が既設下枠５２の既設内レール５２ａに支持されるように配置し、支持部材３０の既設下枠固定部３２の屋内側の面が既設外レール５２ｂの屋外側の面と当接するように配置する。そして、屋外側からビス６４を既設下枠固定部３２の長孔３２ａを貫通させて既設外レール５２ｂに螺合させることにより支持部材３０を既設下枠５２に固定する（支持部材固定工程）。このとき、見付け方向において複数設けられる各支持部材３０の載置部３１が同一の平面を形成するように、既設下枠固定部３２の長孔３２ａの範囲にて支持部材３０の固定位置を調節する。
【００３９】
次に、支持部材３０の載置部３１上に改装下枠２２の底部２２ｇを載置しつつ、屋外側から改装枠２０を既設枠５０に囲まれた空間内に挿入し、外側壁部２２ｉの屋内側の面が支持部材３０の改装下枠固定部３３の屋外側の面に当接させる（改装枠載置工程）。
【００４０】
その後、改装枠２０の屋外側に設けられた凹部２２ｋに固定具としてのビス６４を屋外側から挿入し、改装下枠２２の外側壁部２２ｉを貫通させて支持部材３０の改装下枠固定部３３に設けられたビス孔３３ａに螺合して既設枠５０の既設下枠５２に固定する（改装枠固定工程）。このとき、改装枠２０を既設枠５０に囲まれた空間内に挿入した際には、改装上枠２１及び左右の改装縦枠は、既設上枠５１及び左右の既設縦枠において既設網戸と係合する部位に当接されて改装上枠２１及び左右の改装縦枠も既設上枠５１及び左右の既設縦枠にビス６４にて固定される。
【００４１】
そして、ビス６４の露出を避けるために、改装枠２０の屋外側に屋外側カバー部材２７を取り付ける。改装枠２０をビス６４にて固定した状態では、改装枠２０の外周側の部位と外壁２との間に空隙が全周に亘って形成されている。この空隙にはシーリング材６６を充填して防水目地７０を形成する。
【００４２】
次に、連結部材３６の既設固定部位３６ａを、既設額縁対向部５２ｄを貫通するビス６４にて躯体３に固定し、改装固定部位３６ｂを内側壁部２２ｆにビス６４にて固定する。
【００４３】
その後、屋内側における改装枠２０と額縁６０との間に屋内側カバー部材２８を固定する。
【００４４】
上記実施形態の改装サッシユニット１によれば、支持部材３０は、改装下枠２２の底部２２ｇが載置される載置部３１が屋内側にて既設下枠５２の既設内レール５２ａに支持され、既設下枠固定部３２が屋外側にて既設下枠５２の既設外レール５２ｂにビス６４にて固定されるので、載置部３１の安定した状態を維持させて支持部材３０を既設枠５０に固定することが可能である。また、安定した状態に固定された支持部材３０の改装下枠固定部３３に改装枠２０が固定されるので、安定した載置部３１に改装下枠２２の底部２２ｇを載置させて改装枠２０を支持部材３０に固定することが可能である。
【００４５】
また、支持部材３０は屋内側を既設下枠５２の既設内レール５２ａに載置して屋外側から既設下枠固定部３２を既設枠５０に固定するだけなので、屋外側からだけの作業にて支持部材３０を容易に固定することが可能である。そして、改装枠２０は固定された支持部材３０の改装下枠固定部３３に屋外側から固定するだけで取り付けることが可能である。このように、支持部材３０及び改装枠２０を一方向となる屋外側からの作業により容易に取り付けることが可能である。すなわち、取り付け時の作業性に優れた改装サッシユニット１を提供することが可能である。
【００４６】
また、支持部材３０は、最上部が平坦な載置部３１なので、支持部材３０上に改装枠２０を載置する際には、載置部３１より上方に障害物が存在しない。このため、改装枠２０を容易に載置することが可能である。
【００４７】
また、既設下枠固定部３２及び改装下枠固定部３３は載置部３１より下方に位置しており、既設下枠固定部３２は改装下枠固定部３３より下方に位置しているので、載置部３１に改装枠２０が載置された際に既設下枠５２より上方に位置する改装枠２０が、既設下枠固定部３２より上方にて、載置部３１に改装枠２０が載置された際に改装下枠２２より下方に位置する既設枠５０が、改装下枠固定部３３より下方にて固定される。このため、既設下枠固定部３２及び改装下枠固定部３３をいずれも小さく且つ簡単な形状とすることが可能であり、支持部材３０を小さく簡単な形状に形成することが可能である。
【００４８】
また、改装枠２０は屋外側に開放された凹部２２ｋにてビス６４により改装下枠固定部３３に固定され、凹部２２ｋは屋外側カバー部材２７にて覆われるので、改装枠２０を固定するためのビス６４を屋外側カバー部材２７にて覆い隠すことが可能である。このため、意匠性に優れた改装サッシユニット１を提供することが可能である。
【００４９】
また、既設下枠固定部３２は、改装下枠固定部３３より屋内側に配置されているので、改装下枠２２の凹部２２ｋを覆うように取り付けられる屋外側カバー部材２７を下方に延出するだけで既設下枠固定部３２を覆うことが可能である。このため、屋外側カバー部材２７の屋外に臨む面を例えば平坦な形状など単純な形状にて形成することが可能なので、コストを抑えつつ意匠性により優れた改装サッシユニット１を提供することが可能である。
【００５０】
また、支持部材３０は、載置部３１の屋内側が既設下枠５２に支持され、屋外側が既設下枠固定部３２の上下方向に長い長孔３２ａにビス６４が貫通されて既設下枠５２に固定されているので、長孔３２ａにより支持部材３０の固定位置を調整するだけで載置部３１の上面が水平になるように調整することが可能である。このとき載置部３１の屋内側が固定されていないので、支持部材３０の固定位置を調整しても載置部３１の上面に歪みが生じることはないので、載置部３１を平坦な状態に維持することが可能である。
【００５１】
また、支持部材３０は、見付け方向に複数設けられているので、既設下枠固定部３２に長孔３２ａを設けて調整可能とすることにより、複数の支持部材３０の載置部３１が同一の平面を形成するように調整することが可能である。
【００５２】
また、屋外側カバー部材２７の、改装下枠２２より下方に繋がった壁部２７ａの壁面対向部２７ｂと屋内外の境界となる壁面との間に防水目地７０が設けられているので、改装サッシ１０と壁面との間の高い止水性を確保することが可能である。また、防水目地７０は改装下枠２２より下方に繋がった壁部２７ａの壁面対向部２７ｂと屋内外の境界となる外壁面との間に設けられているので、屋外側から見た際には視界に入りにくい。このため、美観に優れた改装サッシユニット１を提供することが可能である。
【００５３】
上記改装サッシユニット１の取付方法によれば、支持部材固定工程にて、改装サッシ１０の改装枠２０が載置される載置部３１を屋内側にて既設下枠５２の既設内レール５２ａに支持させ、既設下枠固定部３２を屋外側にて既設下枠５２の既設外レール５２ｂに固定するので、載置部３１が安定する状態にて支持部材３０を既設枠５０に固定することが可能である。このとき、支持部材３０は屋内側を既設下枠５２の既設内レール５２ａに支持させて屋外側から既設下枠固定部３２を固定するだけなので、屋外側からだけの作業にて支持部材３０を容易に固定することが可能である。
【００５４】
そして、安定した状態に固定された支持部材３０の載置部３１に、改装枠載置工程にて改装枠２０を載置させるので、改装枠２０の安定した状態を維持させることが可能であり、載置部３１に載置された改装枠２０は改装下枠固定部３３に屋外側からの作業にて固定することが可能である。このため、改装枠２０は屋外側からの作業だけで容易に取り付けることが可能である。
【００５５】
上記実施形態においては、支持部材３０の載置部３１を屋内側にて既設内レール５２ａに支持させた例について説明したが、図３に示すように、支持部材３０の載置部３１を既設額縁対向部５２ｄに支持させ、屋外側にて既設下枠固定部３２の長孔３２ａを貫通するビス６４にて既設下枠５２の既設外レール５２ｂに固定しても良い。
【００５６】
また、上記実施形態においては、屋内側にて既設枠５０の既設額縁対向部５２ｄと改装枠２０の内側壁部２２ｆとを連結部材３６にて固定した例について説明したが、連結部材３６は必ずしも設けられていなくても良い。
【００５７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５８】
１  改装サッシユニット、２  外壁、１０  改装サッシ、２０  改装枠、
２２  改装下枠、２２ｋ  凹部、２７  屋外側カバー部材、２７ａ  壁部、
２７ｂ  壁面対向部、３０  支持部材、３１  載置部、３２  既設下枠固定部、
３２ａ  長孔、３３  改装下枠固定部、５０  既設枠、５２  既設下枠、６４  ビス、
６６  シーリング材、７０  防水目地
【図１】
2011012406.tif 000003
【図２】
2011012406.tif 000004
【図３】
2011012406.tif 000005